(57)【特許請求の範囲】
【請求項１】
プリント配線基板に設けるケーブル挿通用穴と、このケーブル挿通用穴の一端から長手方向に連設する複数のケーブル保持片と、これら各ケーブル保持片の両側に設けるケーブル保持用切欠部とからなり、これら各ケーブル保持片をミシン目を介して切り離し可能に形成したケーブル取付構造を有するプリント配線基板。
【発明の詳細な説明】
【０００１】
【発明の属する技術分野】
本発明は、テレビ受信機等の回路基板にＦＦＣケーブル、ＦＰＣケーブル、平行ワイヤー等のケーブルを取付けるようにしたケーブル取付構造を有するプリント配線基板の改良に関するものである。
【０００２】
【従来の技術】
従来、例えば、登録実用新案３０４３７６８号公報には、図４、図５に示すように、テレビ受信機のキャビネット等の平板材４１の表面に、一対のレール部４４、４４を設け、一対のレール部４４、４４に嵌入される回路基板４２の両サイドに形成された略コ字形の切欠部４５、４５に、ＦＦＣケーブル、ＦＰＣケーブル、平行ワイヤー等のケーブル４３を懸架した状態で嵌入し、回路基板４２を一対のレール部４４、４４に嵌入して、ケーブル４３を回路基板４２と平板材４１の表面との間に配設し、更に回路基板４２の両サイドの略コ字形の切欠部４５、４５から外部に露出させて回路基板４２にケーブル４３を取付けるようにしたケーブルの取付け構造が示されている。
【０００３】
この発明においては、回路基板に形成するケーブル取付け部分のスペースを小さくすることができ、幅の広いケーブルでも被服に傷が付くことを防ぐことができ、ケーブルを固定するための別処理部品を必要とすることがなく、簡単且つ確実にケーブルを回路基板に取付けることができるケーブルの取付け構造を提供するものである。
【０００４】
しかしながら、近時回路構成が複雑化するなかで、各種のケーブルが多様化しており、幅の異なるケーブルが使用される場合が多々ある。しかしながら、上記発明においては、幅の異なるケーブルを同時にまたは個別に選定して回路基板に取付ける構造ではない。
【０００５】
【発明が解決しようとする課題】
この発明においては、複数の幅の異なるケーブルを同時に係止したり、ケーブルの幅に合わせてケーブル保持部を個別に選定することができるケーブル取付構造を有するプリント配線基板の開発が望まれる。
【０００６】
【課題を解決するための手段】
請求項１の発明は、プリント配線基板に設けるケーブル挿通用穴と、このケーブル挿通用穴の一端から長手方向に連設する複数のケーブル保持片と、これら各ケーブル保持片の両側に設けるケーブル保持用切欠部とからなり、これら各ケーブル保持片をミシン目を介して切り離し可能に形成したものである。
【０００７】
この発明においては、複数の幅の異なるケーブルを同時に係止することができる。また、各ケーブル保持片をミシン目を介して切り離し可能に形成したので、ケーブルの幅に合わせてケーブル保持片を選定することができる。
【０００８】
さらに、プリント配線基板を打ち抜き加工のみで製作できるので、製造が簡単で安価に得ることができる。
【０００９】
【発明の実施の形態】
以下に本発明の一実施形態を図面に基づき説明する。図１は本発明のケーブル取付構造を有するプリント配線基板の平面図、図２はミシン目部分の部分拡大図である。
【００１０】
図１に示すように、プリント配線基板１にケーブル挿通用穴２を設けている。このケーブル挿通用穴２の一端から長手方向に２個のケーブル保持片３、４を連設している。これら各ケーブル保持片３、４の両側にケーブル保持用切欠部５、６を設けている。また、基部側ケーブル保持片４の幅４ａを先端側ケーブル保持片３の幅３ａより狭く形成している。さらに、これら各ケーブル保持片３、４をミシン目７を介して切り離し可能に形成している。
【００１１】
このようにして、特に幅の広いケーブルＣ１を基部側ケーブル保持片４のケーブル保持用切欠部６と先端側ケーブル保持片３のケーブル保持用切欠部５とにまたがってケーブルＣ１を保持することができる。また、先端側ケーブル保持片３を基部側ケーブル保持片４からミシン目７を介して切り離し、幅の狭いケーブルＣ２を基部側ケーブル保持片４のケーブル保持用切欠部６に保持することができる。
【００１２】
また、ケーブル保持片３、４の基部にＣ面８、８を形成し、ケーブル保持片４の基部が容易に折れないようにしている。これは、プリント配線基板１面のスペースを広く使用するためにケーブル挿通用穴２の幅Ｈを狭くした場合、ケーブル保持片３、４の幅ｈも狭くなり、ケーブル保持片４の基部が折れ易くなる。したがって、Ｃ面を形成することにより容易に折れることがない。
【００１３】
また、各ケーブル保持片３、４のケーブル挿入側にＣ面９、９、１０、１０を形成して角部をなくすようにしている。したがって、ケーブルＣ１、Ｃ２はこのＣ面９、９、１０、１０にそって滑るようにケーブル保持用切欠部５、６に挿入される。
【００１４】
また、前記ケーブル挿通用穴２とケーブル保持片３の幅広部の辺との間隙１２、１２をケーブルの厚みの１．２〜１．５倍としている。
【００１５】
図２において、Ｘはミシン目７を形成する部分のケーブル保持片３の幅を示している。
【００１６】
例えば、ミシン目７の孔１１は中央に３個と両側に半分の孔１１ａ、１１ａが形成されることになる。
【００１７】
図３は他の実施形態を示すもので、プリント配線基板２１にケーブル挿通用穴２２を設けている。このケーブル挿通用穴２２の一端から長手方向に２個のケーブル保持片２３、２４を連設している。これら各ケーブル保持片２３、２４の両側に幅の異なるケーブル保持用切欠部２５、２６を設けている。そして、２個の幅の異なるケーブルＣ２１、Ｃ２２を同時に係止するようにしている。
【００１８】
一方、先端側ケーブル保持片２３をミシン目２７を介して基部側ケーブル保持片２４から切り離し可能に形成している。したがって、ケーブルＣ２１、Ｃ２２の幅に合わせてケーブル保持片２３、２４を選定することができる。
【００１９】
また、ケーブル保持片２３、２４の基部にＣ面２８、２８を形成し、ケーブル保持片２４の基部が容易に折れないようにしている。これは、プリント配線基板２１面のスペースを広く使用するためにケーブル挿通用穴２２の幅Ｈ２を狭くした場合、ケーブル保持片２３、２４の幅ｈ２も狭くなり、ケーブル保持片４の基部が折れ易くなる。したがって、Ｃ面を形成することにより容易に折れることがない。
【００２０】
また、各ケーブル保持片２３、２４のケーブル挿入側にＣ面２９、２９、３０、３０を形成して角部をなくすようにしている。したがって、ケーブルＣ２１、Ｃ２２はこのＣ面２９、２９、３０、３０にそって滑るようにケーブル保持用切欠部２５、２６に挿入される。
【００２１】
また、基部側のケーブル保持片２４にケーブル係止用フック３３、３３を設けたので、ケーブルＣ２１、Ｃ２２が基部側のケーブル保持用切欠部４から容易に離脱することがない。
【００２２】
なお、ミシン目２７及びケーブル挿通用穴２２とケーブル保持片２３、２４の幅広部の辺との間隙３２・・については前記実施形態と同様であるので説明を省略する。また、ケーブル挿通用穴２２とケーブル保持片２３の幅広部の辺との間隔３２、３２は前記実施形態と同様にケーブルの厚みの１．２〜１．５倍である。
【００２３】
【発明の効果】
本発明においては、複数の幅の異なるケーブルを係止することができる一方、これら各ケーブル保持片をミシン目を介して切り離してケーブルの幅に合わせてケーブル保持片を選択することができる。
【００２４】
さらに、プリント配線基板を打ち抜き加工のみで構成できるので製作が簡単で安価に得ることができる。
【図面の簡単な説明】
【図１】  本発明のケーブル取付構造を有するプリント配線基板の平面図。
【図２】  ミシン目部分の部分拡大図。
【図３】  他の実施形態を示すプリント配線基板の平面図。
【図４】  従来例を示す斜視図。
【図５】  従来例を示す平面図。
【符号の説明】
１、２１ プリント配線基板
２、２２ ケーブル挿通用穴
３、４、２３、２４ ケーブル保持片
５、６、２５、２６ ケーブル保持用切欠部
７、２７ ミシン目
８、８、２８、２８ ケーブル保持片の基部側のＣ面
９、９、１０、１０ ケーブル保持片のケーブル挿入側のＣ面
２９、２９、３０、３０ ケーブル保持片のケーブル挿入側のＣ面
１１・・ ミシン目の孔
１１ａ、１１ａ 半分の孔
１２・・、３２ 間隙
３３、３３ ケーブル係止フック
【図１】
0003757901.tif 000002
【図２】
0003757901.tif 000003
【図３】
0003757901.tif 000004
【図４】
0003757901.tif 000005
【図５】
0003757901.tif 000006